(57)【要約】【課題】レベル合わせを容易に行いうる鋼製の大引き及びそれを用いた床施工方法を提供する。【解決手段】鋼製の大引き１であって、基礎側に固着される下側部材２と、該下側部材２に上下方向にスライド可能に嵌まり合うとともに上面で床材を支持しうる上側部材３と、前記下側部材２に対して前記上側部材３の高さ位置を調整して仮保持しうる高さ調節具６と、前記仮保持された位置で上側部材３を前記下側部材２に固定しうる固定具４とを含むことを特徴とする。【選択図】図２
2010265649.tif 000002
【特許請求の範囲】
【請求項１】
鋼製の大引きであって、
基礎側に固着される下側部材と、該下側部材に上下方向にスライド可能に嵌まり合うとともに上面で床材を支持しうる上側部材と、
前記下側部材に対して前記上側部材の高さ位置を調整して仮保持しうる高さ調節具と、前記仮保持された位置で上側部材を前記下側部材に固定しうる固定具とを含むことを特徴とする鋼製の大引き。
【請求項２】
前記高さ調節具は、前記上側部材を貫通するネジ溝を有する孔と、該孔に上部からねじ込まれかつ下端が前記下側部材にねじ込まれることなく当接するネジ軸とからなる請求項１記載の鋼製の大引き。
【請求項３】
前記高さ調節具は、前記上側部材を貫通するネジ溝を有しない孔と、該孔に上部からねじ込まれかつ下端が前記下側部材にねじ込まれることなく当接するネジ軸とからなる請求項１記載の鋼製の大引き。
【請求項４】
前記下側部材は、溝部を上に向けた溝型鋼からなり、前記基礎に添着される底板部と、該底板部の両端から上に向かってのびる一対の立ち上げ片とを含む請求項１乃至３のいずれかに記載の鋼製の大引き。
【請求項５】
前記上側部材は、溝部を下に向けた溝型鋼からなり、前記上面を有する上板部と、該上板部の両端から下方にのびる一対の垂下片とを含む請求項１乃至４のいずれかに記載の鋼製の大引き。
【請求項６】
前記固定具は、前記上側部材と前記下側部材との重なり部に側方からねじ込まれるビスである請求項１乃至５記載の鋼製の大引き。
【請求項７】
前記高さ調整具は、上側部材の平面視において、少なくとも４隅に形成される請求項２又は３記載の鋼製の大引き。
【請求項８】
請求項２又は３に記載された鋼製の大引きを用いた床の施工方法であって、
基礎の上面に前記下側部材を固定する工程と、
前記基礎以外の位置に、前記下側部材と平行にのびる第１の大引きを、束材を用いて水平に支持する工程と、
前記基礎に固定された下側部材に前記上側部材を嵌め込むとともに、前記孔にねじ込まれたネジ軸を上側部材に対して螺進退させることにより、前記上側部材の上面を前記第１の大引きの上面と同高さに合わせて仮保持する調整工程と、
該調整工程の後に前記上側部材と下側部材とを、側方からビスをねじ込んで固着することにより第２の大引きを形成する固着工程と、
床材を、前記第１の大引きと第２の大引きとに跨がらせて固定する床材施工工程とを含むことを特徴とする床の施工方法。
【請求項９】
前記固着工程の後でかつ前記床材施工工程の前に、前記ネジ軸を抜き取るネジ軸除去工程を含む請求項８記載の床の施工方法。
【発明の詳細な説明】
【技術分野】
【０００１】
本発明は、レベル合わせを容易に行いうる鋼製の大引き及びそれを用いた床施工方法に関する。
【背景技術】
【０００２】
従来、例えば工業化住宅等においては、鋼製の大引き上に、木製の根太に床板を張った床パネルを載置し、前記根太と大引とをネジにて固定したものが知られている（下記特許文献１ないし２参照）。
【０００３】
ところで、大引きは、束材又は基礎に固定されて支持される。前記束材は、通常、ネジ軸などを用いて高さ調整機能を具えたものが一般に多用される。従って、束材で支持された大引きについては、束材の高さを変えることで比較的自由にレベル合わせを行うことができる。
【先行技術文献】
【特許文献】
【０００４】
【特許文献１】特開２００７−１５４４５９号
【特許文献２】特開２００４−２１８２６０
【発明の概要】
【発明が解決しようとする課題】
【０００５】
しかしながら、基礎上に固定された大引きについては、上述のようなレベル合わせを自在に行うことができない。従来、床材と基礎上の大引きとの間に、スペーサ等を介在させてレベル合わせを行うことが提案されてはいるが、調整代が少なくかつ施工性が悪いため、さらなる改善の余地があった。
【０００６】
本発明は、以上のような問題点に鑑み案出なされたもので、基礎上に固着された場合でもそのレベル合わせを自在にかつ容易に行うことが可能な鋼製の大引き及びそれを用いた床施工方法を提供することを主たる目的としている。
【課題を解決するための手段】
【０００７】
本発明のうち請求項１記載の発明は、鋼製の大引きであって、基礎側に固着される下側部材と、該下側部材に上下方向にスライド可能に嵌まり合うとともに上面で床材を支持しうる上側部材と、前記下側部材に対して前記上側部材の高さ位置を調整して仮保持しうる高さ調節具と、前記仮保持された位置で上側部材を前記下側部材に固定しうる固定具とを含むことを特徴とする。
【０００８】
また請求項２記載の発明は、前記高さ調節具は、前記上側部材を貫通するネジ溝を有する孔と、該孔に上部からねじ込まれかつ下端が前記下側部材にねじ込まれることなく当接するネジ軸とからなる請求項１記載の鋼製の大引きである。なお、請求項３記載の発明のように、前記孔は、ネジ溝を有しないものでも良いが、この場合、ネジ径と略同一径のものが好適である。
【０００９】
また請求項４記載の発明は、前記下側部材は、溝部を上に向けた溝型鋼からなり、前記基礎に添着される底板部と、該底板部の両端から上に向かってのびる一対の立ち上げ片とを含む請求項１乃至３のいずれかに記載の鋼製の大引きである。
【００１０】
また請求項５記載の発明は、前記上側部材は、溝部を下に向けた溝型鋼からなり、前記上面を有する上板部と、該上板部の両端から下方にのびる一対の垂下片とを含む請求項１乃至４のいずれかに記載の鋼製の大引きである。
【００１１】
また請求項６記載の発明は、前記固定具は、前記上側部材と前記下側部材との重なり部に側方からねじ込まれるビスである請求項１乃至５記載の鋼製の大引きである。
【００１２】
また請求項７記載の発明は、前記高さ調整具は、上側部材の平面視において、少なくとも４隅に形成される請求項２又は３記載の鋼製の大引きである。
【００１３】
また請求項８記載の発明は、請求項２に記載された鋼製の大引きを用いた床の施工方法であって、基礎の上面に前記下側部材を固定する工程と、前記基礎以外の位置に、前記下側部材と平行にのびる第１の大引きを束材を用いて水平に支持する工程と、前記基礎に固定された下側部材に前記上側部材を嵌め込むとともに、前記孔にねじ込まれたネジ軸を上側部材に対して螺進退させることにより、前記上側部材の上面を前記第１の大引きの上面と同高さに合わせて仮保持する調整工程と、該調整工程の後に前記上側部材と下側部材とを、側方からビスをねじ込んで固着することにより第２の大引きを形成する固着工程と、床材を、前記第１の大引きと第２の大引きとに跨がらせて固定する床材施工工程とを含むことを特徴とする。
【００１４】
また請求項９記載の発明は、前記固着工程の後でかつ前記床材施工工程の前に、前記ネジ軸を抜き取るネジ軸除去工程を含む請求項７記載の床の施工方法である。
【発明の効果】
【００１５】
本発明の鋼製の大引きは、基礎側に固着される下側部材と、該下側部材に上下方向にスライド可能に嵌まり合うとともに上面で床材を支持しうる上側部材と、前記下側部材に対して前記上側部材の高さ位置を調整して仮保持しうる高さ調節具と、前記仮保持された位置で上側部材を前記下側部材に固定しうる固定具とを含む。このような大引きは、下側部材に対して上側部材の位置を変え、かつ、仮保持できるので、１階の床材と基礎との間という非常に限られた狭いスペースにおいて、大引きのレベル合わせを容易に行うことができる。
【００１６】
また、高さ調整具は、レベル合わせされた上側部材を仮保持しうる結果、施工性が向上する。そして、この仮保持された状態で、上側部材と下側部材とを固定具を用いて固定することにより、上側部材の上面高さを簡単に所望の位置に調整できる。従って、基礎の不陸等があっても、大引きのレベル合わせ機能でこれらを吸収でき、施工性が大幅に向上するとともに、床の仕上がり精度を高めうる。
【００１７】
また、請求項７記載の床の施工方法では、上側部材の孔にねじ込まれたネジ軸を螺進退させることにより、上側部材の上面高さを容易に調整かつ仮保持できる。従って、上側部材の上面を、隣り合う他の大引きの上面と同高さに合わせる調整工程を能率良く行うことができ、施工性が大幅に向上する。
【図面の簡単な説明】
【００１８】
【図１】本発明の実施形態を示す大引きの分解斜視図である。
【図２】図１の組立図である。
【図３】高さ調整具の作用を説明する大引きの断面図である。
【図４】本実施形態の大引きの使用状態を示す断面図である。
【図５】本実施形態の大引きが用いられる床下地の伏せ図である。
【図６】そのＡ−Ａ断面図である。
【図７】第１及び第２の大引きを含む床下地の斜視図である。
【図８】床の施工方法を説明する上記Ａ−Ａ相当位置の断面図である。
【図９】床パネルを敷設した後の伏せ図である。
【発明を実施するための形態】
【００１９】
以下、本発明の実施の一形態が図面に基づき説明される。
図１〜図４に示されるように、本実施形態の鋼製の大引き１は、基礎Ｆに固着される下側部材２と、該下側部材２に固着されかつ上面で床材としての床パネルＰを支持しうる上側部材３と、下側部材２に対して上側部材３の高さ位置を調整して仮保持しうる高さ調節具６とを含んで構成される。
【００２０】
前記下側部材２は、本実施形態では、溝部を上に向けた長尺な溝型鋼からなり、前記基礎Ｆに添着される底板部２ａと、該底板部２ａの幅方向の両端から上に向かって垂直にのびるフランジ状の一対の立ち上げ片２ｂ、２ｂとから構成される。前記底板部２ａには、例えば基礎Ｆの上面から突出するアンカーボルトＢに対応する各位置に、ボルト孔２ｈが隔設されている。
【００２１】
前記上側部材３は、本実施形態では、溝部を下に向けた溝型鋼からなり、床パネルＰが載置される上面を形成する上板部３ａと、該上板部３ａの両端から下方に垂直にのびる一対の垂下片３ｂ、３ｂとを有する。
【００２２】
また、上側部材３には高さ調整具６が設けられる。本実施形態の高さ調整具６は、上側部材３の上板部３ａを貫通する本実施形態ではネジ溝を有する孔６ａと、該孔６ａに上部からねじ込まれかつ下端が前記下側部材２の底板部２ａにねじ込まれることなく当接するネジ軸６ｂとから構成されている。ネジ軸６ｂは、例えば上側部材３の高さ寸法ｈよりも十分に長いネジ長さを有する。これにより、前記孔６ａに対してネジ軸６ｂを螺進退させることにより、上側部材３の下縁３ｂｅよりも下方に突出する突出長さを自在に調節することができる。なお、本実施形態において、高さ調整具６は、上側部材３の平面視において、少なくとも４隅に形成されているが、その数は任意に増減できる。また、前記孔６ａは、その内周面に予めネジ軸６ｂに対応したネジ溝が形成されているが、このようなネジ溝が形成されていないものでも良い。この場合、ネジ軸６ｂを孔６ａに螺入したときに、孔６ａ内で遊嵌されるのではなく、該孔６ａに噛み込んで位置決めされること、即ち、両者の相対位置がネジ溝の回転によってのみ変化するように、孔６ａの内径は、ネジ軸６ｂのネジ径と略同一かこれよりも僅かに小とするのが望ましい。
【００２３】
また、本実施形態において、上側部材３の溝幅Ｗ１は、下側部材２の立ち上げ片２ｂ、２ｂ間の幅Ｗ２よりも僅かに大きく形成される。これにより、図２に示されるように、上側部材３の各々の垂下片３ｂは、下側部材２の立ち上げ片２ｂに外側から嵌め込んで外挿できるともに、下側部材２に対して上下方向にスライド可能に嵌め合わせできる。つまり、垂下片３ｂと立ち上げ片２ｂとは、調整自在な高さ方向の重なり代Ｌを有して重ねられる。
【００２４】
そして、下側部材２と上側部材３とが嵌め合わされた状態において、ネジ軸６ｂを螺進退させて上側部材３の垂下片３ｂの下縁３ｂｅから突出長さを変えることにより、図３に仮想線で示されように、下側部材２に対して上側部材３の上面の高さを距離Ｈの範囲で無段階に調整できる。しかも上側部材３は、垂下片３ｂの下縁３ｂｅから下方に突出するネジ軸６ｂにて仮保持されるため、別途保持具などを用いることなく、調整された状態を維持させることができる。
【００２５】
また、本実施形態において、上側部材３の垂下片３ｂには、その長さ方向に所定のピッチで貫通孔３ｈが形成されている。貫通孔３ｈは、例えば、垂下片３ｂの下縁３ｂｅ側に寄せて形成されるのが望ましい。他方、下側部材２の立ち上げ片２ｂには、このような貫通孔が形成されてはいない。
【００２６】
そして、前記下側部材２と仮保持されている前記上側部材３とは、側方から固定具としてのビス４がねじ込まれることにより固着される（本固定）。本実施形態では、垂下片３ｂと立ち上げ片２ｂとが重なる重なり部５にビス４がねじ込まれる。前記ビス４は、例えばドリルビスであって、前記垂下片３ｂの貫通孔３ｈから挿入されとともに、ねじ込みにより下側部材２の立ち上げ片２ｂに穿孔を生じさせて貫入する。これにより、下側部材２と上側部材３とが高さ方向に移動不能な状態で一体固着される。
【００２７】
以上から明らかなように、下側部材２と上側部材３とは、ビス４で固着される前の状態において、上側部材３は、下側部材２に対して高さ方向にスライドさせ、前記重なり代をＬ調節することにより、その上面高さを無段階にかつ簡単に現場で調整できる。従って、１階の床パネルＰと基礎Ｆとの間という非常に限られた狭いスペースにおいて、簡単な構成により、大引き１自体でレベル合わせ機能を発揮させることができる。従って、基礎Ｆの不陸等があっても、大引き１のレベル合わせ機能でこれを吸収でき、施工性が大幅に向上するとともに、床の仕上がり精度を高めうる。なお、下側部材２と上側部材３との本固定後、ネジ軸６ｂを抜き取ることができる。
【００２８】
次に、このような鋼製の大引き１を用いた床の施工方法の一実施形態について述べる。先ず、図５には、本実施形態の鋼製の大引き１が用いられる工業化住宅の１階の床下地の伏せ図を示し、図６にはそのＡ−Ａ断面図が示される。
【００２９】
前記床下地は、基礎Ｆと、基礎Ｆで囲まれた例えば土間コンクリートＤ上に所定のモジュールピッチでグリッド状に立てられた複数の束材７とを含む。
【００３０】
前記基礎Ｆは、例えば住宅の外壁通りに配された外基礎Ｆａと、一端が外基礎Ｆａに連なりかつ家屋内部をのびる内基礎Ｆｂとを含んで構成される。
【００３１】
また、前記束材７は、図６に示されるように、土間コンクリートＤ上に固定されかつ上にのびる脚部７ａと、該脚部７ａに対して上下に高さ調整可能に螺合するネジ軸部７ｂと、該ネジ軸部７ｂの上端に固定されかつ本実施形態では断面略パイプ状の第１の大引き９を保持しうる断面コ字状の受け金物７ｃとを含んで構成される。
【００３２】
本実施形態の施工方法では、先ず、内基礎Ｆｂの上面から突設するアンカーボルトＢに、下側部材２を固定する工程が行われる。即ち、図３、図６に示されるように、底板部２ａの前記ボルト孔２ｈにアンカーボルトＢが挿入されるとともに、底板部２ａからはみ出すボルト軸にナットＮが螺着される。これにより、下側部材２が内基礎Ｆｂ上に添着される。なお、下側部材２は、アンカーボルトＢ以外にも例えば接着剤などを用いて基礎Ｆに固定することができる。また、内基礎Ｆｂと下側部材２との間に、例えば通気流路を形成するために、土台ないし浮かせ部材（図示省略）などを介在させても良い。また、前記外基礎Ｆａ上には、例えば外壁パネル（図示省略）との接合性などを考慮して木質の土台８が固定される。
【００３３】
また、基礎Ｆ以外の位置に、前記下側部材２と平行にのびる第１の大引き９を前記束材７の受け金物７ｃにボルト等を用いて固定する工程が行われる。上述のように、本実施形態の束材７は、土間コンクリートＤに対して受け金物７ｃの高さを調整可能なものが用いられる。従って、この束材７に支持される第１の大引き９は、上記実施形態の大引き１とは異なり、大引き自体にレベル合わせ機能を有しない標準的なものが使用される。なお、この大引き９は、木質材でも構わない。ただし、第１の大引き９に変えて、上記大引き１を用いても良いのは言うまでもない。
【００３４】
次に、図３に示したように、基礎Ｆに固定された下側部材２に上側部材３を嵌め合わせるとともに、上側部材３を下側部材２に対して高さ方向にスライドさせ、垂下片３ｂと立ち上げ片２ｂとの重なり代Ｌが調整される。これにより、上側部材３の上面を第１の大引き９の上面と同高さに合わせるレベル合わせが行われる（調整工程）。
【００３５】
この工程では、図６に示されるように、例えば水糸ＨＬ等を用いて基準となるレベル出しが行われ、これに合わせて上側部材３の高さ位置が調節される。この調節は、上述したように、高さ調整具６のネジ軸６ｂを上板部３ａに対して時計方向又は反時計方向に回すことにより、垂下片３ｂの下縁３ｂｅからの突出長さを調整することで行ないうる。しかも、この調節時、上側部材３は、ネジ軸６ｂによってその状態が保持されるため、能率良く調整作業を行うことができ、施工性が大幅に向上する。なお、束材７については、ネジ軸部７ｂを用いて第１の大引き９の上面高さを調節できる。
【００３６】
該調整工程を終えると、下側部材２と上側部材３とは、垂下片３ｂと立ち上げ片２ｂとの重なり部５に側方からビスをねじ込むことで一体に本固定される（固着工程）。これにより、図７に示されるように、前記第１の大引き９と同高さでのびる第２の大引き１０を形成することができる。なお、下側部材２と上側部材３とが本固定された後は、高さ調整具６のネジ軸６ｂは特に必要がないので、次の床材施工工程の前に、予め抜き取ることが望ましい（ネジ軸除去工程）。これにより、ネジ軸６ｂと床材との干渉を防止できる。
【００３７】
しかる後、図８及び図９に示されるように、第１の大引き９と第２の大引き１０とに跨がらせて床材である床パネルＰが固定される。本実施形態の床パネルＰは、根太１２と、その上に固着された面材１３と、これらの間に配された断熱材１４とからなる略正方形状をなし、例えば、床パネルＰは、根太１２を貫通するドリルビス１５を用いて大引き９、１０に両端部が固定される。そして、面材１３の外側に床仕上げ材などが敷設される。
【００３８】
このように本実施形態の床の施工方法によれば、鋼製の大引き１の上側部材３の垂下片３ｂと、下側部材２の立ち上げ片２ｂとの重なり代Ｌを高さ調整具６を用いて調整かつ仮保持しながら行うことができる。従って、上側部材３の上面を、隣り合う他の大引きの上面と容易に同高さに合わせることができるので、施工性を大幅に向上し、床の仕上げ精度高め得る。
【００３９】
以上本発明の実施形態について説明したが、本発明は、上記の具体的な実施形態に限定されることなく種々の実施形態に変形できる。例えば、上記実施形態では、下側部材２及び上側部材３がいずれも溝型鋼で構成されているが、一方を角パイプ状としても良い。また、上記実施形態では、上側部材３を下側部材２に外挿するようにしているが、これとは逆に上側部材３を下側部材２の溝内に嵌め込んでも良い。
【符号の説明】
【００４０】
１  鋼製の大引き
２  下側部材
２ａ  底板部
２ｂ  立ち上げ片
３  上側部材
３ａ  上板部
３ｂ  垂下片
４  ビス
６  高さ調整具
６ａ  孔
６ｂ  ネジ軸
Ｆ  基礎
Ｆａ  外基礎
Ｆｂ  内基礎
【図１】
2010265649.tif 000003
【図２】
2010265649.tif 000004
【図３】
2010265649.tif 000005
【図４】
2010265649.tif 000006
【図５】
2010265649.tif 000007
【図６】
2010265649.tif 000008
【図７】
2010265649.tif 000009
【図８】
2010265649.tif 000010
【図９】
2010265649.tif 000011